(57)【要約】【課題】回転体が軸方向や回転方向にぐらつかない支持構造を有して、安定感や高級感のある回転支持機構及び携帯端末を提供する。【解決手段】ベースと回転体の一方を第１部材に取付け、他方を第２部材に取付けて前記第１部材と第２部材とを重ね合せた位置から前記第２部材を重ね合せたままの平面方向に回転させ、ある回転位置に前記第２部材を回転停止させる回転支持機構であって、前記ベースの軸支部には、該軸支部に軸支された前記回転体を軸方向に付勢することにより、回転体がぐらつく原因となる軸方向の隙間が生じさせないようにする軸方向付勢手段を備える。【選択図】図１０
2008075788.tif 000002
【特許請求の範囲】
【請求項１】
第１部材と第２部材とを平面対接させた平面対接面間の一方に筒状軸を突出してなる平板状のベースを取付け、他方に前記ベースの筒状軸に回動自由に軸支される軸孔を有する平板状の回転体を取付けて設け、
前記筒状軸には上端面が径方向に延出する鍔部を形成した筒体を固着し、該筒体の鍔部と前記ベースとの対向面間で前記回転体を軸方向に抜止め支持して設け、
前記ベースと回転体とを介して取付けられる第１部材と第２部材とを重ね合せて閉じた閉位置から前記第２部材を重ね合せたままの平面方向に回転させたある角度の開位置に回転停止させる回転支持機構であって、
前記ベースの筒状軸には、該筒状軸に軸支された回転体を軸方向に付勢して弾性支持する軸方向弾性支持手段を備えた
回転支持機構。
【請求項２】
前記軸方向弾性支持手段は、前記回転体の内周側に内周凹部を形成し、該内周凹部と前記筒体の鍔部との軸方向の対向面間に形成される環状空間に、前記回転体をベース側の軸方向に付勢させる皿バネを介在させた
請求項１記載の回転支持機構。
【請求項３】
第１部材と第２部材とを平面対接させた平面対接面間の一方に筒状軸を突出してなる平板状のベースを取付け、他方に前記ベースの筒状軸に回動自由に軸支される軸孔を有する平板状の回転体を取付けて設け、
前記回転体の外周面上に凹状の位置決め対応部を有し、回転体の外周面上の位置決め対応部側から軸心に向かう方向を押圧方向に設定して前記回転体の外周面を押圧し、前記回転体の位置決め対応部に対応して押圧したとき回転体の回転規制力を高めて回転体の回転を停止させる押圧手段を設け、
前記ベースと回転体とを介して取付けられる第１部材と第２部材とを重ね合せて閉じた閉位置から前記第２部材を重ね合せたままの平面方向に回転させたある角度の開位置に回転停止させる回転支持機構であって、
前記押圧手段に対しては、該押圧手段の押圧方向と直交する方向へ該押圧手段の側面を押圧付勢する側面付勢手段を備えた
回転支持機構。
【請求項４】
第１部材と第２部材とを平面対接させた平面対接面間の一方に筒状軸を突出してなる平板状のベースを取付け、他方に前記ベースの筒状軸に回動自由に軸支される軸孔を有する平板状の回転体を取付けて設け、
前記筒状軸には上端面が径方向に延出する鍔部を形成した筒体を固着し、該筒体の鍔部と前記ベースとの対向面間で前記回転体を軸方向に抜止め支持して設け、
前記回転体の外周面上に凹状の位置決め対応部を有し、回転体の外周面上の位置決め対応部側から軸心に向かう方向を押圧方向に設定して前記回転体の外周面を押圧し、前記回転体の位置決め対応部に対応して押圧したとき回転体の回転規制力を高めて回転体の回転を停止させる押圧手段を設け、
前記ベースと回転体とを介して取付けられる第１部材と第２部材とを重ね合せて閉じた閉位置から、該第１部材の一端部を回動支点として前記第２部材を重ね合せたままの平面方向に回転させたある角度の開位置に回転停止させる回転支持機構であって、
前記ベースの筒状軸には、該筒状軸に軸支された回転体を軸方向に付勢して弾性支持する軸方向弾性支持手段を設け、
前記押圧手段に対しては、該押圧手段の押圧方向と直交する方向へ該押圧手段の側面を押圧付勢する側面付勢手段を設けた
回転支持機構。
【請求項５】
請求項１〜４に記載の何れか１つの回転支持機構を用い、該回転支持機構の対となる一方のベースを回転支持対象物の固定側である第１部材に取付け、他方の回転体を回転支持対象物の可動側である第２部材に取付けて前記第１部材を基準に第２部材を回転支持する携帯端末。
【発明の詳細な説明】
【技術分野】
【０００１】
この発明は、例えば携帯電話機、電子手帳等の携帯端末を開閉する場合に用いられるような回転支持機構に関し、さらに詳しくは重ね合せた本体とカバーとの対向面間のガタツキを解消した高支持性能を有する回転支持機構及び携帯端末に関する。
【背景技術】
【０００２】
以下、携帯電話機のカバーを開閉自由に支持する回転支持機構を例にとって説明する。  
近年、この種の回転支持機構を組込んでカバーを開閉する携帯電話機は、図１２に示すように、本体１２１とカバー１２２とを重ね合せた状態から上側のカバー１２２を重ね合せたままの平面方向に回転させて開操作する平面開閉型の携帯電話機１２３が知られている。例えば、表示器を搭載したカバー側を横向きなどの任意の角度に回転停止させるようにし、携帯電話機の表示器に静止画だけでなくテレビ映像などの動画を表示させて、映像を映すのにふさわしい表示形態にて表示させる携帯電話機が知られている(例えば特許文献１参照)。
【０００３】
このような平面開閉型の回転支持機構は、本体に取付けられたベース中央の軸支筒に、カバーにプレートを介して取付けられた回転板を回転可能にカシメ筒でカシメ固定している。また、前記ベースの一側上面に押子を設け、該押子で前記回転板の外周面を押圧し、該外周面に設けられた位置決め用の凹部に押子先端が嵌まり込むことで、カバーの回転位置を規制する働きがある。
【０００４】
ところが、このような回転支持機構では、カバーの回転をスムーズに行うためにカバーと一体の回転板に対し、該回転板をカシメ筒でカシメ固定する場合に、ベース上面と、カシメ筒上部の鍔部との間に挟まれた回転板が円滑な回転を確保するためには軸方向に若干の隙間を必要とする。また、前記押子でカバーの回転位置を規制するときも、回転板の外周面に設けられた凹部に押子先端がスムーズに嵌まり込むようにするため、押子先端部と外周面の凹部との間に若干の隙間を必要とする。しかし、これらの隙間が軸方向（図１２の上下方向の矢印参照）と回転方向にガタツキを発生させる原因になっている。
【０００５】
具体的には、回転板に回転規制力を持たせるためにバネで押子（プランジャ）を回転板の外周から回転軸へ向けて径方向に付勢対接させて外周面を押さえ付けているが、このバネで押さえ付けられる押子を回転板の径方向に円滑に進退させる動きを確保するための摺動隙間が必要であり、このことが回転板の回転方向のガタツキを発生させる一因になっていた。特に、回転板の外周面が凹部である場合は凹凸対応したときに、押圧付勢力が一時的に弱まり、回転板が非常に弱い力で動いてしまう状態となり、回転板が本体に組込まれた状態では非常に大きなガタツキとなって感じられてしまう問題を有していた。
【０００６】
【特許文献１】特開２００５−１２１０９５号
【発明の開示】
【発明が解決しようとする課題】
【０００７】
そこでこの発明は、筒状軸に取付けられる回転体の動きが停止時あるいは回転時であっても、該回転体は軸方向及び回転方向に対するガタツキのない支持構造を有して、終始円滑で安定した回転操作ができる回転支持機構及び携帯端末を提供することを目的とする。
【課題を解決するための手段】
【０００８】
この発明は、第１部材と第２部材とを平面対接させた平面対接面間の一方に筒状軸を突出してなる平板状のベースを取付け、他方に前記ベースの筒状軸に回動自由に軸支される軸孔を有する平板状の回転体を取付けて設け、前記筒状軸には上端面が径方向に延出する鍔部を形成した筒体を固着し、該筒体の鍔部と前記ベースとの対向面間で前記回転体を軸方向に抜止め支持して設け、前記ベースと回転体とを介して取付けられる第１部材と第２部材とを重ね合せて閉じた閉位置から前記第２部材を重ね合せたままの平面方向に回転させたある角度の開位置に回転停止させる回転支持機構であって、前記ベースの筒状軸には、該筒状軸に軸支された回転体を軸方向に付勢して弾性支持する軸方向弾性支持手段を備えたことを特徴とする。
【０００９】
前記軸方向付勢手段は、回転体を軸方向に付勢する付勢力を持たせた弾性体で構成することができる。例えば、回転体と同心円上に配置して、回転体の周方向に均一に付勢力を与えることができる皿バネを用い、この皿バネの弾性圧で前記回転体を軸方向に押圧付勢することができる。
【００１０】
前記重ね合せて連結される第１部材と第２部材とは、回転支持機構を介して相対的に回転する構成のため、回転体と押圧手段を構成する部材を第１部材側と第２部材側の一方と他方に対応させて取付けるだけでなく、これらの取付け側を逆にしてもよい。さらに、第２部材の回転位置を回転途中の、ある角度に回転停止させることができる。このため、例えば第２部材を横向きなどの任意の角度に回転停止させることができる。
【００１１】
この発明の態様として、前記軸方向弾性支持手段は、前記回転体の内周側に内周凹部を形成し、該内周凹部と前記筒体の鍔部との軸方向の対向面間に形成される環状空間に、前記回転体をベース側の軸方向に付勢させる皿バネを介在させて構成することができる。
【００１２】
この発明の態様として、第１部材と第２部材とを平面対接させた平面対接面間の一方に筒状軸を突出してなる平板状のベースを取付け、他方に前記ベースの筒状軸に回動自由に軸支される軸孔を有する平板状の回転体を取付けて設け、前記回転体の外周面上に凹状の位置決め対応部を有し、回転体の外周面上の位置決め対応部側から軸心に向かう方向を押圧方向に設定して前記回転体の外周面を押圧し、前記回転体の位置決め対応部に対応して押圧したとき回転体の回転規制力を高めて回転体の回転を停止させる押圧手段を設け、前記ベースと回転体とを介して取付けられる第１部材と第２部材とを重ね合せて閉じた閉位置から前記第２部材を重ね合せたままの平面方向に回転させたある角度の開位置に回転停止させる回転支持機構であって、前記押圧手段に対しては、該押圧手段の押圧方向と直交する方向へ該押圧手段の側面を押圧付勢する側面付勢手段を備えて構成することができる。
【００１３】
前記押圧手段は、例えばバネにより押圧される押圧部材を回転体の外周面から軸心に向けて径方向に押圧付勢させれば、終始押圧部材からの押圧力を回転体に付与することができる。また、回転体と押圧手段との対応に際しては、回転体の回転方向のある一点で係合・離脱できる係合構成にすれば、凹凸対応させた回転停止位置で第２部材を正確に位置決めすることができる。
【００１４】
また、前記側面付勢手段は、例えば板バネの弾性圧で押圧手段の側面を押圧付勢することができる。この場合は、押圧手段が側面より付勢されて側面方向にぐらつかなくなるので、押圧手段と回転体との押圧接触時にも、ぐらつきのない安定した押圧作用が得られ、回転体と一体の第２部材は回転方向のガタツキが無くなる。
【００１５】
この発明の態様として、第１部材と第２部材とを平面対接させた平面対接面間の一方に筒状軸を突出してなる平板状のベースを取付け、他方に前記ベースの筒状軸に回動自由に軸支される軸孔を有する平板状の回転体を取付けて設け、前記筒状軸には上端面が径方向に延出する鍔部を形成した筒体を固着し、該筒体の鍔部と前記ベースとの対向面間で前記回転体を軸方向に抜止め支持して設け、前記回転体の外周面上に凹状の位置決め対応部を有し、回転体の外周面上の位置決め対応部側から軸心に向かう方向を押圧方向に設定して前記回転体の外周面を押圧し、前記回転体の位置決め対応部に対応して押圧したとき回転体の回転規制力を高めて回転体の回転を停止させる押圧手段を設け、前記ベースと回転体とを介して取付けられる第１部材と第２部材とを重ね合せて閉じた閉位置から、該第１部材の一端部を回動支点として前記第２部材を重ね合せたままの平面方向に回転させたある角度の開位置に回転停止させる回転支持機構であって、前記ベースの筒状軸には、該筒状軸に軸支された回転体を軸方向に付勢して弾性支持する軸方向弾性支持手段を設け、前記押圧手段に対しては、該押圧手段の押圧方向と直交する方向へ該押圧手段の側面を押圧付勢する側面付勢手段を設けて構成することができる。
【００１６】
この場合は、軸方向付勢手段により回転体を軸方向に押圧付勢することができるほか、側面付勢手段により押圧手段の側面を押圧付勢することができるので、回転体に対する軸方向からの付勢支持性能を持たせることに加えて、周方向からの付勢支持性能を向上することができる。よって、回転体は軸方向のガタツキがなくなり、また押圧手段が側面より付勢されて側面方向にぐらつかなくなるので、回転体の回転方向のガタツキが無くなり、両付勢作用を受けて安定した回転を確保できる。
【００１７】
このような回転支持機構の対となる一方のベースを回転支持対象物の固定側である第１部材に取付け、他方の回転体を回転支持対象物の可動側である第２部材に取付けて前記第１部材を基準に第２部材を回転支持する携帯端末に適用することができる。
【００１８】
よって、このような回転支持機構を備えた携帯端末を用いれば、ガタツキのない高級感のある支持性能が得られるので利用者は携帯端末の第２部材を平面方向に安定感を有して開閉操作することができる。また、任意の回転角度の位置や定まった回転角度の位置で自由に回転停止させることができるので、第２部材上の表示器を縦向きや横向きの自由な角度にして見ることができる。このため、携帯端末の利便性が向上する。さらに、前記携帯端末としては、回転支持機構に支持されて開閉操作される第１部材と第２部材とからなる携帯電話機、電子手帳等のモバイル機器に適用することができる。
【発明の効果】
【００１９】
この発明によれば、回転体の停止時あるいは回動時に、該回転体を軸方向や回転方向に対してガタツキのない支持構造にできる。よって、利用者は回転体と一体の第２部材を開閉操作したとき、不安定な動きが解消された円滑で安定感及び高級感が感じられる品位のある製品を製作することができる。
【実施例】
【００２０】
この発明の一実施例を以下図面に基づいて説明する。  
図面は携帯電話機を示し、図１は携帯電話機を閉じた状態を示す外観斜視図、図２は携帯電話機の開状態を示す斜視図、図３は携帯電話機の表示板を横向きに回転させた状態を示す斜視図である。この携帯電話機１は長方板形状の本体２と、本体２に支持板３を介して取付けられる表示板４とから構成される。
【００２１】
前記本体２は、長方板形状の一短辺側に沿って軸支ピン５が架設されている。この軸支ピン５に前記支持板３の基端部に開口されている軸孔６が挿通されて軸支され、該支持板３が本体２に折畳み式に開閉操作される。また、支持板３の折畳み内面側に表示板４が取付けられている。
【００２２】
なお、本体２と表示板４の上面及び側面等の外表面には、電話や電子メールなどを含む様々な電子情報を利用するための図示しない表示器や入力装置及びアンテナを装備している。また、支持板３に装備してもよい。
【００２３】
そして、支持板３と表示板４との連結に際しては、図４に示すように、上側の支持板３と下側の表示板４を、水平回転型の回転支持機構１１を介して平面方向に回転可能に連結している。
【００２４】
図５は水平回転型の回転支持機構１１の平面図、図６は水平回転型の回転支持機構１１を斜め上方から見た分解斜視図、図７は水平回転型の回転支持機構１１を斜め下方から見た分解斜視図である。  
この水平回転型の回転支持機構１１は、ベース１２に搭載される回転機構１３と押圧機構１４との双方を、環状枠体１５で覆って一体化して構成される。
【００２５】
前記ベース１２は、円盤状を有する中央上面に軸心部となる筒状軸１６を突出し、この筒状軸１６とその周囲の該ベース１２の環状内周面１７とで囲まれる環状空間１８に、回転機構１３の構成部材が搭載される。また、この環状空間１８の一部には外向きに突出する四角形空間１９が連通して開口され、この四角形空間１９に押圧機構１４が搭載される。さらに、該ベース１２の外周部には、周方向に５等分して配置された環状枠体連結孔２０と、これらと交差しない周方向の位置に４等分して配置された本体連結孔２１とを開口している。
【００２６】
次に、回転機構１３について説明する。この回転機構１３は、筒体２２と、皿バネ２３と、回転円盤２４と、内周面摺動シート２５と、下面摺動シート２６とから構成され、これらが前記環状空間１８の下部側より順に組込まれて収納される。
【００２７】
図８は図５のＡ−Ａ線矢視断面図である。この図８の断面図にも示すように、ベース１２の筒状軸１６の内周面には筒状の筒体２２が嵌合状態に一体に取付けられる。この筒体２２は上端面に大径の上鍔部２２ａを有し、下端面には小径の下鍔部２２ｂを有している。このうち、上鍔部２２ａは筒状軸１６の上端面に当接して係止され、下鍔部２２ｂは筒状軸１６の下端面に形成された段付き環状凹部２７にカシメ固定される。これにより、筒体２２はベース１２に一体に固定される。
【００２８】
さらに、上鍔部２２ａの外径を筒状軸１６の外径より大径に設けることにより、この上鍔部２２ａは径方向に延出した延出部分が皿バネ２３の上面に対向して皿バネ２３の軸方向の上バネ座となる。同じく上鍔部２２ａは回転円盤２４の内周部上面に対向して回転円盤２４の軸方向の抜止め部材としての役目を兼ねている。
【００２９】
前記皿バネ２３は、中空円板の内周側を高く設定し、外周側を低く設定して傘状の傾斜を有し、軸方向に弾性変位許容する付勢力を持たせて設けている。そして、該皿バネ２３の中空開口部を前記筒状軸１６に挿通させ、内周側の高位置の部分が前記上鍔部２２ａに対接され、外周側の低位置の部分が後述する回転円盤２４の上面を押え付けるように配設される。
【００３０】
前記回転円盤２４は、前記筒状軸１６に挿通できる軸孔２４ｄを中央部に有する中空円板を有し、回転自由に前記筒状軸１６に軸支されている。また、該回転円盤２４の回転の円滑化を図るために該回転円盤２４の内周面と筒状軸１６の外周面との対向面間には筒形で一部を切離したＣ形状の内周面摺動シート２５を介在させている。さらに、回転円盤２４の下面とベース１２の環状空間１８の上面との対向面間には中空円板状の下面摺動シート２６を介在させている。
【００３１】
さらに、回転円盤２４の上面内周部には、皿バネ収納用の内周凹部２４ａを有しており、この内周凹部２４ａに前記皿バネ２３が介在される。そして、この皿バネ２３の内周部が前記筒体２２の上鍔部２２ａに下向きに係止され、外周部が内周凹部２４ａの上面を下バネ座として係止され、該皿バネ２３は軸方向に圧縮された状態に上下面が係止される。これにより、皿バネ２３は筒状軸１６を中心に回動する回転円盤２４を下向きの軸方向に付勢し、該皿バネ２３のバネ作用を働かせるようにしている。よって、回転円盤２４は皿バネ２３による軸方向の付勢作用を常時受けながら回転することになる。
【００３２】
このように、回転機構１３では皿バネ２３による弾性吸収作用が働いて、回転円盤２４に生じようとする軸方向の不安定な動きを吸収回避してしまう。この結果、回転円盤２４の軸方向に対してはぐらつきのない回転支持機能が得られる。従って、この回転機構１３を備えた回転支持機構１１が携帯電話機１に組込まれた場合は、この携帯電話機１に仮に瞬間的に大きな外力が加わった場合にも皿バネ２３が弾性対応して隙間を生じさせないため安定感を維持できる。例えば、この携帯電話機１の本体２を仮に利用者が掴んで振ったとしても、回動自由なカバー（表示板４）側ではあるが、皿バネ２３の弾性支持作用によって、該表示板４は軸方向にガタツクことが抑制される。
【００３３】
このほかにも例えば、図９に示すように、本体９２とカバー９３とで対をなす携帯電話機９１の場合、該携帯電話機９１での角度規制を行うために、本体９２側に回転位置規制機構としての凸部９４を形成し、これと対応するカバー９３側に回転位置規制機構としての凹部(図外)を形成してなる凹凸構造を有する場合、カバー９３が本体９２の凸部９４へと乗り上げた時に、皿バネ２３が弾性変位して軸方向の乗り上げた高さ分の変位を許可させることで、本体９２やカバー９３に負担を与えず、また皿バネ２３の弾性作用が常に軸方向に働くことによって円滑な感触を設定することが可能となる。
【００３４】
さらに、回転円盤２４の外周面には回転位置決め用の複数の係止凹部ｕ１〜ｕ３を各回転停止位置に形成しており、また回転円盤２４の上面周方向には、表示板に取付けられる複数の表示板連結ピン２４ｂや表示板連結孔２４ｃを有している。
【００３５】
次に、押圧機構１４について説明する。この押圧機構１４は、押子２８と、コイルバネ２９と、側面ガイドバネ３０とから構成され、これらが前記四角形空間１９に組込まれて収納される。
【００３６】
前記四角形空間１９は、該四角形空間１９に該当するベース１２の上面に、ベース中央部に向けて３列に並列するコイル収納凹部３１を有し、ここに３個のコイルバネ２９が収納される。さらに、コイル収納凹部３１と同方向に並列する一端部には、前記側面ガイドバネ３０が収納される側面ガイドバネ収納部３２を有している。
【００３７】
前記押子２８は櫛形状を有し、この櫛の付根側となる前端面の中央部に係止凸部２８ａを有しており、該係止凸部２８ａが前記回転円盤２４の係止凹部ｕ１〜ｕ３に凹凸対応して係止される。後端面側には櫛歯状に伸びる３個のバネガイド軸２８ｂを突設しており、これらのバネガイド軸２８ｂが各コイルバネ２９内に入って、コイルバネ２９を伸縮方向にそれぞれガイドする。側面は摺接面として平面的に形成され、この一方の側面摺動部２８ｃに前記側面ガイドバネ３０が付勢対設される。
【００３８】
前記側面ガイドバネ３０は、板バネの中央部を突出させた湾曲形状に設け、前記側面ガイドバネ収納部３２に収納されたときに、該側面ガイドバネ３０の両端部が弾性支点となり、その中央突出部が前記押子２８の側面摺動部２８ｃを押圧付勢し、押子２８を側面方向より一定圧で押圧したガイド状態に保つものである。これにより、押子２８の側面方向に生じる隙間を弾性吸収し、押子２８が進退するときは、ぐらつきのない動きを確保して安定した摺動をさせることができる。
【００３９】
このため、押子２８は３個のコイルバネ２９の付勢力を受けて直進し、押子２８の中央部先端の係止凸部２８ａが回転円盤２４の外周面を押圧して、該回転円盤２４に回転規制力を与えている。
【００４０】
この場合、側面ガイドバネ３０の付勢圧（側面ガイド荷重）は、押子２８の側面方向の隙間の発生によって生じる回転円盤２４の回転方向のガタツキと感じさせてしまう外力に打ち勝つ付勢力に設定することが要請される。それゆえ、回転円盤２４と押子２８との接点、及び押子２８と側面ガイドバネ３０との接点の関係を考慮して側面ガイドバネ３０の付勢圧を設定する。この場合、側面ガイドバネ３０の付勢圧が弱過ぎると、ガタツキと感じてしまう支持状態になる。逆に、側面ガイドバネ３０の付勢圧が強過ぎると、押子２８の直線運動に支障をきたしてしまう。
【００４１】
図１０は押子２８と回転円盤２４との対応状態を示す説明図、図１１は回転支持機構１１を備えた携帯電話機１の支持板３と表示板４との回転位置の関係を示す斜視図である。このうち、図１０(Ａ)は回転円盤２４の位置決め用の係止凹部ｕ１に押子２８の係止凸部２８ａが凹凸対応した対応状態を示し、携帯電話機１の表示板４との対応関係では図１１(Ａ)に示すように、支持板３と表示板４とが真っ直ぐ伸びた状態となる。
【００４２】
また、図１０(Ｂ)は回転円盤２４の位置決め凹部ｕ１より少し回動した傾斜角度の状態(約４５度)を示し、この場合は携帯電話機１の表示板４が図１１(Ｂ)に示すように、表示板４が支持板３より若干傾斜した状態となる。
【００４３】
さらに、図１０(Ｃ)は回転円盤２４の位置決め凹部ｕ１が一方に９０度回動した他の位置決め凹部ｕ２に押子２８が係止対応した状態を示し、この場合は携帯電話機１の表示板４が図１１(Ｃ)に示すように、表示板４が支持板３より右に９０度回動した横型の表示状態となる。
【００４４】
同じく、図１０(Ｃ)の回転円盤２４の位置決め状態から１８０度回動させた場合は、携帯電話機１の表示板４が図１１(Ｄ)に示すように、表示板４が支持板３より左に９０度回動した横型の表示状態となる。
【００４５】
このように、回転円盤２４の回転方向に９０度ごとに定められた位置決め凹部ｕ１〜ｕ３にて回転停止できるほか、図１１(Ｂ)に示すように、位置決め凹部ｕ１〜ｕ３以外の任意の回転位置であっても回転停止させることができる。
【００４６】
また、最上部の保護カバーとして前記回転円盤２４の上面側に前記環状枠体１５が非接触に覆った状態で、該環状枠体１５の取付孔１５ａとベース１２の環状枠体連結孔２０にリベット３３を通して連結される。
【００４７】
このように構成された回転支持機構１１の開閉動作と、その支持状態を次に説明する。  
この回転支持機構１１の回転停止状態では、該回転支持機構１１の回転機構１３に備えられている皿バネ２３が回転円盤２４の上面に弾性対接し、該回転円盤２４に対する軸方向の動きを弾性吸収して、回転円盤２４の軸方向の隙間を生じようとする動きを除去している。
【００４８】
また、該回転支持機構１１の押圧機構１４に備えられている押子２８が回転円盤２４の外周面を押圧付勢し、回転円盤２４が径方向及び回転方向に不安定にぐらつかないように支持している。また、押子２８の係止凸部２８ａと回転円盤２４の係止凹部ｕ１とが凹凸対応した位置決め状態(図１０(Ａ)参照)にあっては、予め定められた位置に回転円盤２４がある感触を持って回転停止される。このような凹凸対応した押子２８がぐらつきやすくなる状態においても、側面ガイドバネ３０が押子２８の側面を押圧ガイドしているため、押子２８の動きは進退方向のみとなり、ぐらつきを抑制した支持構成となる。
【００４９】
さらに、押子２８が回転円盤２４の係止凹部ｕ１ではなく、単に外周面に当接した押圧状態で回転円盤２４が回転停止しても、押子２８と回転円盤２４の外周面とは一点で接触対応するが、この場合も側面ガイドバネ３０が押子２８の側面を押圧ガイドしているため、押子２８の動きは進退方向のみとなり、ぐらつきを抑制した支持構成となる。よって、ベース１２が本体に取付けられ、回転円盤２４が表示板に取付けられた表示板の支持状態でもガタツキは感じられず、安定感のある動きが得られる。
【００５０】
そして、回転円盤２４が回動操作された場合、該回転円盤２４の軸方向に対しては皿バネ２３の弾性支持作用によって、該回転円盤２４に対する軸方向の隙間を生じさせようとする動きを吸収して安定感のある動きを維持する。また、押子２８は回転円盤２４の回転に伴い、係止凹部ｕ１〜ｕ３を含む外周面に沿って進退移動するが、このときも該押子２８の側面は側面ガイドバネ３０によって終始側面が支えられているため、押子２８は側面方向のぐらつきを生じさせる隙間を発生させないため安定して進退移動し、安定感のある押圧作用を終始回転円盤２４に付与することができる。
【００５１】
上述のように、ベース上に回動自由に軸支される回転円盤は、停止状態であっても、回動操作された状態であっても、回転円盤のぐらつきの発生原因となる隙間を皿バネや側面ガイドバネによって吸収除去できるため、ガタツキの無い安定感のある回転支持機構が得られる。よって、この回転支持機構を用いれば安定感に加えて高級感のある信頼性の高い製品を得ることができる。
【００５２】
この発明の構成と、上述の実施例の構成との対応において、
この発明の第１部材は、実施例の支持板３に対応し、
以下同様に、
第２部材は、表示板４に対応し、
回転体は、回転円盤２４に対応し、
押圧手段は、押子２８と、コイルバネ２９に対応し、
軸方向付勢手段は、皿バネ２３に対応し、
側面付勢手段は、側面ガイドバネ３０に対応するも、この発明は請求項に示される技術思想に基づいて応用することができ、上述の実施例の構成のみに限定されるものではない。
【００５３】
例えば、上述の実施例では側面ガイドバネ３０を押子２８の片側に対接させた例を示したが、側面ガイドバネ３０を押子２８の両側より付勢対接させるように配置して、押子２８を両側より押圧ガイドすることもできる。また、側面ガイドバネ３０と対向する押子２８の反対側の面に耐久性の良い部材を配設してもよい。この場合は、耐磨耗性に優れ、長期使用に適したガタツキ抑制効果が得られる。
また、回転円盤２４の外周面に形成される係止凹部ｕ１〜ｕ３を周方向の縦横の３か所の位置に設けた例を示したが、これに限らず、携帯電話機の用途に適した周方向の任意の位置にそれぞれ設けることができる。
【図面の簡単な説明】
【００５４】
【図１】携帯電話機を閉じた状態を示す外観斜視図。
【図２】携帯電話機の開状態を示す斜視図。
【図３】携帯電話機の表示板を横向きに回転させた状態を示す斜視図。
【図４】水平回転型の回転支持機構の使用状態を示す要部側面図。
【図５】水平回転型の回転支持機構の平面図。
【図６】水平回転型の回転支持機構を斜め上方から見た分解斜視図。
【図７】水平回転型の回転支持機構を斜め下方から見た分解斜視図。
【図８】図５のＡ−Ａ線矢視断面図。
【図９】携帯電話機の回転位置決め機構の一例を示す斜視図。
【図１０】押子と回転円盤との対応状態を示す説明図。
【図１１】回転支持機構を備えた携帯電話機の本体と表示板との回転位置の関係を示す斜視図。
【図１２】従来の回転支持機構を組込んだ携帯電話機の使用状態を示す側面図。
【符号の説明】
【００５５】
１１…回転支持機構
１２…ベース
１３…回転機構
１４…押圧機構
１６…筒状軸
２３…皿バネ
２４…回転円盤
３０…側面ガイドバネ
【図１】
2008075788.tif 000003
【図２】
2008075788.tif 000004
【図３】
2008075788.tif 000005
【図４】
2008075788.tif 000006
【図５】
2008075788.tif 000007
【図６】
2008075788.tif 000008
【図７】
2008075788.tif 000009
【図８】
2008075788.tif 000010
【図９】
2008075788.tif 000011
【図１０】
2008075788.tif 000012
【図１１】
2008075788.tif 000013
【図１２】
2008075788.tif 000014